(57)【特許請求の範囲】
【請求項１】
独立した導体から構成される閉ループ形状の平面アンテナと、
ベースフィルム上に配設される第１のループアンテナ、前記第１のループアンテナに接続され、ダイバシティ機能を有するＩＣチップ、及び、前記ＩＣチップに接続され、前記第１のループアンテナに垂直配置される第２のループアンテナ、を有するインレットと、
を備えるＩＣタグであって、
前記インレットは、前記平面アンテナに対して、前記第１のループアンテナと前記第２のループアンテナの外辺と前記平面アンテナの周縁とが平行に近接する位置に配設され、
前記ＩＣチップは、受信強度に応じて前記第１のループアンテナと前記第２のループアンテナとを切換え選択するものであり、
前記平面アンテナは、前記インレットと並置される部分が直線形状であり、前記平面アンテナの角部に対角に一対の摂動素子部が設けられて円偏波用アンテナとされ、
前記平面アンテナは、更に、周囲の長さが１波長、前記摂動素子間の長さが約１／２波長、一方の摂動素子から前記ＩＣチップ近傍までの長さが約３／８波長、前記ＩＣチップ近傍から他方の摂動素子までの長さが約１／８波長であることを特徴とする非接触型ＩＣタグ。
【請求項２】
受信強度に応じて選択された前記第１のループアンテナまたは前記第２のループアンテナに近接した前記平面アンテナのインピーダンスと、前記ＩＣチップのインピーダンスとの整合がとられていることを特徴とする請求項１記載の非接触型ＩＣタグ。
【請求項３】
前記平面アンテナは、物体の裏面に形成されることを特徴とする請求項１記載の非接触型ＩＣタグ。
【請求項４】
前記平面アンテナは、２つの略方形からなり、各方形の１つの角部に切り欠き部を備え、互いに前記切り欠き部を介して形成されたループアンテナであり、前記インレットは、前記切り欠き部に相当する前記平面アンテナ角部近傍に位置することを特徴とする請求項１記載の非接触型ＩＣタグ。
【請求項５】
独立した導体から構成される閉ループ形状の平面アンテナと、ベースフィルム、第１のループアンテナ、第２のループアンテナ、及び受信強度に応じて前記第１のループアンテナと前記第２のループアンテナとを切換え選択するダイバシティ機能を有するＩＣチップ、を有するインレットと、を備える非接触型ＩＣタグの製造方法であって、
前記平面アンテナを形成する工程（ａ）と、
前記ベースフィルム上に前記第１のループアンテナ及び前記第２のアンテナを配設し、前記第１のループアンテナ及び前記第２のアンテナに前記ＩＣチップを接続し、前記ＩＣチップを介して前記第１のループアンテナ及び前記第２のアンテナを垂直配置することによって、前記インレットを形成する工程（ｂ）と、
前記平面アンテナを物体に形成する工程（ｃ）と、
前記インレットを、前記平面アンテナに対して、前記第１のループアンテナと前記第２のループアンテナの外辺と前記平面アンテナの周縁とが平行に近接する位置に配設し、装着する工程（ｄ）と、
を含み、
前記工程（ａ）は、前記インレットと並置される部分が直線形状となるように前記平面アンテナのパターンを形成し、前記平面アンテナの角部に対角に一対の摂動素子部を設けて円偏波用アンテナとし、更に、周囲の長さが１波長、前記平面アンテナに係る前記摂動素子間の長さが約１／２波長、一方の摂動素子から前記ＩＣチップ近傍までの長さが約３／８波長、前記ＩＣチップ近傍から他方の摂動素子までの長さが約１／８波長となるように前記平面アンテナのパターンを形成することを特徴とする非接触型ＩＣタグの製造方法。
【請求項６】
前記工程（ｃ）は、前記平面アンテナを物体の裏面に形成することを特徴とする請求項５記載の非接触型ＩＣタグの製造方法。
【請求項７】
前記工程（ａ）は、２つの略方形からなり、各方形の１つの角部に切り欠き部を備え、２つの方形が前記切り欠き部を介して連設する閉ループ形状となるように、前記平面アンテナのパターンを形成し、
前記工程（ｄ）は、前記インレットを、前記切り欠き部に相当する前記平面アンテナ角部近傍に配置することを特徴とする請求項５記載の非接触型ＩＣタグの製造方法。
【発明の詳細な説明】
【技術分野】
【０００１】
本発明は、非接触情報通信を行う非接触型ＩＣ（Ｉｎｔｅｇｒａｔｅｄ Ｃｉｒｃｕｉｔ）タグに係り、特に、ダイバシティ機能付きＩＣチップに接続されたループアンテナと平面アンテナから形成される非接触型ＩＣタグ及びその製造方法に関する。
【背景技術】
【０００２】
昨今、製造等の工場での工程管理、物流管理、流通分野等において、リーダライタと非接触で交信して、情報記憶、表示に使用する非接触型ＩＣタグが、ＩＣタグラベル、荷物、ケースに取り付ける荷札等として、広範囲な用途に利用されている。
【０００３】
また、近年、従来からの１３．５６ＭＨｚ帯もしくはマイクロ波帯（２．４５ＧＨｚ）の非接触ＩＣタグに加えて、わが国でも法改正によりＵＨＦ帯（９５２Ｍ〜９５５ＭＨｚ）を使用することが可能になり、ＵＨＦ帯非接触ＩＣタグの実用化が図られている。
ＵＨＦ帯ＩＣタグは、電磁誘導方式の１３．５６ＭＨｚ帯の非接触ＩＣタグに比べて遠距離（３〜５メートル）からの一括読み取りが可能である。また、マイクロ波帯ＩＣタグも１〜１．５メートルの距離の通信が可能であり、今後、それらの特徴を活かした用途での普及が見込まれている。
【０００４】
ところで、近年、ダイバシティ機能を有するＩＣチップが供給されている。ダイバシティ機能とは、ＩＣチップ内にアンテナに対するスイッチ機構が内蔵されていて、２つのアンテナの入力電力の強弱を判定し、いずれか強い方を自動的に選択する機能（回路）を有することをいう。ダイバシティ機能は、携帯電話装置や車載アンテナ、各種移動体通信端末などに一般的に使用されている。
【０００５】
ＩＣチップとの間で電波（円偏波）を送受信するアンテナとして、従来からループ状の平面アンテナが知られている（例えば、特許文献１参照）。
図５は、従来の円偏波用ループアンテナを示す図であり、図５（ａ）は、左旋円偏波用のループアンテナ５５ａを示す図であり、図５（ｂ）は、右旋円偏波用のループアンテナ５５ｂを示す図である。
図５に示すように、ループアンテナ５５に摂動素子５６を設け、摂動素子５６により、水平偏波と垂直偏波とに９０°の位相差を生じさせて、直線偏波を円偏波に変換する。図５（ａ）に示すように、ループアンテナ５５ａは右旋円偏波用のループアンテナとなり、図５（ｂ）に示すように、ループアンテナ５５ｂは左旋円偏波用のループアンテナとなる。
【０００６】
また、右旋円偏波および左旋円偏波において、右旋円偏波用のループアンテナと左旋円偏波のループアンテナとを選択的に使用し送受信できるようにしたループアンテナが開示されている（例えば、特許文献２参照）。
【０００７】
【特許文献１】特開平１１−２０５０２８号公報
【特許文献２】特開平１１−９７９２６号公報
【発明の開示】
【発明が解決しようとする課題】
【０００８】
しかしながら、従来のアンテナは、左旋円偏波と右旋円偏波を同時に送受信できるものはない。特許文献２に開示されたループアンテナでは、第１及び第２の給電導体の一方を選択的に使用し、その結果として、広帯域に十分に良好な円偏波特性を得るのが困難であった。左旋円偏波と右旋円偏波との両方を送受信できるようにするためには、スペースを占有するとともにコストもかかるという問題があった。
非接触型ＩＣタグは、リーダライタからの所定の信号を受信すると共に、返信する返信信号を送信することでリーダライタとの間で情報の通信を行うが、その非接触型ＩＣタグとリーダライタとの位置関係によっては通信感度が著しく低下するという不具合があった。Ｒ／Ｗによる非接触型ＩＣタグの各種データの送受信は、アンテナに対する読み取り方向に影響され、電波によっては通信不可能となることがあった。例えば、複数の荷物、商品等に貼り付けた非接触型ＩＣタグのデータの一括読みを行う場合、一度に読み取りできない非接触型ＩＣタグが発生してしまうという問題があった。
【０００９】
本発明は、以上の点に鑑みてなされたものであり、ダイバシティ機能を有するＩＣチップを用いて、左旋円偏波と右旋円偏波とを同時に送受信可能とし、広帯域に良好の通信状態を確保する非接触型ＩＣタグ等を提供することを目的とする。
【課題を解決するための手段】
【００１０】
前述した目的を達成するために第１の発明は、独立した導体から構成される閉ループ形状の平面アンテナと、ベースフィルム上に配設される第１のループアンテナ、前記第１のループアンテナに接続され、ダイバシティ機能を有するＩＣチップ、及び、前記ＩＣチップに接続され、前記第１のループアンテナに垂直配置される第２のループアンテナ、を有するインレットと、を備えるＩＣタグであって、前記インレットは、前記平面アンテナに対して、前記第１のループアンテナと前記第２のループアンテナの外辺と前記平面アンテナの周縁とが平行に近接する位置に配設され、前記ＩＣチップは、受信強度に応じて前記第１のループアンテナと前記第２のループアンテナとを切換え選択するものであり、前記平面アンテナは、前記インレットと並置される部分が直線形状であり、前記平面アンテナの角部に対角に一対の摂動素子部が設けられて円偏波用アンテナとされ、前記平面アンテナは、更に、周囲の長さが１波長、前記摂動素子間の長さが約１／２波長、一方の摂動素子から前記ＩＣチップ近傍までの長さが約３／８波長、前記ＩＣチップ近傍から他方の摂動素子までの長さが約１／８波長であることを特徴とする非接触型ＩＣタグである。
【００１１】
また、第１の発明は、受信強度に応じて選択された前記第１のループアンテナまたは前記第２のループアンテナに近接した前記平面アンテナのインピーダンスと、前記ＩＣチップのインピーダンスとの整合がとられていることが望ましい。
また、前記平面アンテナは、物体の裏面に形成されることが望ましい。
また、前記平面アンテナは、２つの略方形からなり、各方形の１つの角部に切り欠き部を備え、互いに前記切り欠き部を介して形成されたループアンテナであり、前記インレットは、前記切り欠き部に相当する前記平面アンテナ角部近傍に位置することが望ましい。
【００１２】
「ＩＣチップ」は、制御部、情報記憶のためのメモリ部、非接触型ＩＣ無線通信部等を備えるものである。
「インレット」は、外装基材を配設する前の、一次加工部材である。
「ダイバシティ機能」は、チップ内にアンテナに対するスイッチ機構が内蔵されていて、２つのアンテナの入力電力の強弱を判定し、いずれか強い方を自動的に選択する機能（回路）を有することをいう。
「摂動素子部」は、対角に一対の導電性金属板である。
【００１３】
第１の発明による非接触型ＩＣタグは、独立した導体から構成される閉ループ形状の平面アンテナと、ベースフィルム、ベースフィルム上に配設される第１のループアンテナ、第１のループアンテナに接続され、ダイバシティ機能を有するＩＣチップ、及び、ＩＣチップに接続され、第１のループアンテナに垂直配置される第２のループアンテナ、を有するインレットと、を備えるＩＣタグであって、インレットは、前記平面アンテナに対して、第１のループアンテナと第２のループアンテナの外辺と平面アンテナの周縁とが平行に近接する位置に配設され、ＩＣチップは、受信強度に応じて第１のループアンテナと第２のループアンテナとを切換え選択するものであり、平面アンテナは、インレットと並置される部分が直線形状であり、平面アンテナの角部に対角に一対の摂動素子部が設けられて円偏波用アンテナとされ、平面アンテナは、更に、周囲の長さが１波長、摂動素子間の長さが約１／２波長、一方の摂動素子からＩＣチップ近傍までの長さが約３／８波長、ＩＣチップ近傍から他方の摂動素子までの長さが約１／８波長である。
【００１４】
第1の発明では、受信信号が左旋円偏波と右旋円偏波の何れかでも同時に送受信でき、電波の方向に影響されずに良好な円偏波特性を得ることを可能とし、アンテナの偏波への整合が可能とされ、高感度の通信が実現できる。
物品に備えた非接触型ＩＣタグに対する一括読み取りにおける非接触型ＩＣタグのデータの読み落としを低減するとともに、読み取れなかった非接触型ＩＣタグの特定に要する作業の負担軽減及び時間短縮を図ることを可能とする。
また、２つの方形からなる平面アンテナを用いることより、小型アンテナで広い指向性が得られる。
更に、平面アンテナを物品裏面に装着することにより、表面印刷へ侵食がすくなく、物品のデザインを損なわない。
【００１５】
また、第２の発明は、独立した導体から構成される閉ループ形状の平面アンテナと、ベースフィルム、第１のループアンテナ、第２のループアンテナ、及び受信強度に応じて前記第１のループアンテナと前記第２のループアンテナとを切換え選択するダイバシティ機能を有するＩＣチップ、を有するインレットと、を備える非接触型ＩＣタグの製造方法であって、前記平面アンテナを形成する工程（ａ）と、前記ベースフィルム上に前記第１のループアンテナ及び前記第２のアンテナを配設し、前記第１のループアンテナ及び前記第２のアンテナに前記ＩＣチップを接続し、前記ＩＣチップを介して前記第１のループアンテナ及び前記第２のアンテナを垂直配置することによって、前記インレットを形成する工程（ｂ）と、前記平面アンテナを物体に形成する工程（ｃ）と、前記インレットを、前記平面アンテナに対して、前記第１のループアンテナと前記第２のループアンテナの外辺と前記平面アンテナの周縁とが平行に近接する位置に配設し、装着する工程（ｄ）と、を含み、前記工程（ａ）は、前記インレットと並置される部分が直線形状となるように前記平面アンテナのパターンを形成し、前記平面アンテナの角部に対角に一対の摂動素子部を設けて円偏波用アンテナとし、更に、周囲の長さが１波長、前記平面アンテナに係る前記摂動素子間の長さが約１／２波長、一方の摂動素子から前記ＩＣチップ近傍までの長さが約３／８波長、前記ＩＣチップ近傍から他方の摂動素子までの長さが約１／８波長となるように前記平面アンテナのパターンを形成することを特徴とする非接触型ＩＣタグの製造方法である。
【００１６】
第２の発明は、第１の発明の非接触型ＩＣタグの製造方法に関する発明である。
【発明の効果】
【００１７】
本発明は、以上の点に鑑みてなされたものであり、ダイバシティ機能を有するＩＣチップを用いて、左旋円偏波と右旋円偏波とを同時に送受信可能とし、広帯域に良好の通信状態を確保する非接触型ＩＣタグ等を提供することができる。
【発明を実施するための最良の形態】
【００１８】
以下に、添付図面を参照しながら、本発明に係る非接触型ＩＣタグの好適な実施形態について詳細に説明する。尚、以下の説明および添付図面において、略同一の機能構成を有する構成要素については、同一の符号を付することにより重複説明を省略することにする。
【００１９】
図１は、本実施の形態に係る非接触型ＩＣタグ１を示す平面図である。
図２は、非接触型ＩＣタグ１の分解斜視図である。
【００２０】
図１、図２は、非接触型ＩＣタグ１の一例であり、図１、図２に示すように、非接触型ＩＣタグ１は、インレット１０と平面アンテナ１１から構成される。
【００２１】
インレット１０は、ベースフィルム２、ＩＣチップ３、第１のループアンテナ４、第２のループアンテナ５等を備える。ベースフィルム２の上に、略方形状のループ形状のループアンテナを配設し、第１のループアンテナ４に電気的に接続したＩＣチップ３と、ＩＣチップ３に接続し、第１のループアンテナ４にほぼ垂直に配設した、略方形状のループ形状の第２のループアンテナ５とからインレット１０を形成する。
ＩＣチップ３はダイバシティ機能を有するものであって、第１のループアンテナ４と第２のループアンテナ５の受信波を増幅してその強弱を判定し、スイッチ機構によりスイッチングを行う。ＩＣチップ３の２つの増幅回路は判定を正確に行うため、増幅特性、周波数特性等の電気的特性の同一性が要求される。
【００２２】
平面アンテナ１１は、独立した導体から構成される閉ループ形状のアンテナであり、アンテナ６、摂動素子部７等を備える。アンテナ６は、略方形（例えば２つの略方形）から形成されたループアンテナあり、アンテナ６の角部に、対角に一対の摂動素子部７を設け、形成されて円偏波用アンテナとされ、摂動素子部７により直行する。
尚、本実施の形態では、アンテナ６は、略方形（例えば２つの略方形）から形成されたループアンテナであるが、これに限らず、アンテナ６は、インレット１０と並置する部分が直線形状で、平行であるループアンテナを形成すればよい。すなわち、アンテナ６は、インレット１０と並置する部分以外は、任意の形状でよい。
【００２３】
図２に示すように、例えば、平面アンテナ５は、２つの略方形からなり、各方形の１つの角部に切り欠き部９を備え、互いに切り欠き部９を介して形成される。平面アンテナ５は、周囲の長さが１波長、摂動素子部７ａ、７ｂ間の長さが約１／２波長であり、一方の摂動素子部７ａからＩＣチップ近傍までの長さが約３／８波長であり、ＩＣチップ近傍から他方の摂動素子７ｂまでの長さが約１／８波長である。
例えば、ＵＨＦ帯を９５４ＭＨｚとした場合、１波長は３１．４ｃｍ、１／２波長では１５．７ｃｍとなり、その条件を満たすとき効率よく電波との共振が生じる。平面アンテナ５は、例えば、摂動素子部７ａ、７ｂ間の長さは約１６ｃｍ、一方の摂動素子部７ａからＩＣチップ近傍までの長さは約１２ｃｍ、ＩＣチップ近傍から他方の摂動素子７ｂまでの長さは約４ｃｍである。
【００２４】
物品８の包装裏面に平面アンテナ１１が形成される。平面アンテナ１１は、例えば、導電性インキにより印刷したパターンやベースフィルム２にラミネートした金属箔をエッチングしたパターンからなっている。
物品８の包装表面に、インレット１０は、切り欠き部９に相当する平面アンテナ角部近傍に、第１のループアンテナ４と第２のループアンテナ５の外辺とアンテナ６の周縁とが平行に近接する位置（−１ｍｍ〜３ｍｍ）になるように配設される。
尚、本実施の形態では、インレット１０を物品８の包装表面に形成したが、物品の包装裏面に、平面アンテナ１１とともに重ねて形成してもよい。これにより、更に、表面印刷への侵食が少なくなる。
【００２５】
非接触型ＩＣタグ１は、ＩＣチップ３のダイバシティ機能によって、受信強度に応じて、スイッチ機構により第１のループアンテナ４と第２のループアンテナ５とを切換え選択する。選択された第１のループアンテナ４／第２のループアンテナ５に近接した平面アンテナ１１のインピーダンスと、ＩＣチップ３のインピーダンスのマッチングが取れるように調整されており、平面アンテナ１１とＩＣチップ３とのインピーダンスを整合する。
【００２６】
尚、本実施の形態では、非接触型ＩＣタグ１の取り付け方法として、物体裏面に平面アンテナ６を形成し、表面にインレット１０を貼着したが、シール型の平面アンテナ１１上面にインレット１０を重畳貼着してもよい。
平面アンテナ１１を基材１９に配設し、粘着剤を剥離紙２３に塗布しながら基材の裏面に仮貼着しておく。シール型の平面アンテナ１１の上面に、切り欠き部９に相当する平面アンテナ角部近傍に、第１のループアンテナ４と第２のループアンテナ５の外辺とアンテナ６の周縁とが平行に近接する位置になるようにインレット１０を配設し、非接触型ＩＣタグ１を形成する。非接触型ＩＣタグ１を一般のシールのように物体８に自由に貼り付けられるシール型の非接触型ＩＣタグ１構成にすることにより、非接触型ＩＣタグの製造・貼付作業を簡素化することができる。
【００２７】
次に、図３、図４を参照しながら、本実施形態の非接触型ＩＣタグ１の製造方法について説明する。
【００２８】
図３は、非接触型ＩＣタグ１の製造方法を示すフローチャートである。
図４は、非接触型ＩＣタグ１の製造過程の断面図であり、図４（ａ）は、表面剥離紙１４に仮貼付されたインレット１０の断面図であり、図４（ｂ）は、剥離紙１４に仮貼付された平面アンテナ１１の断面図であり、図４（ｃ）は、物体８に形成された非接触型ＩＣタグ１の断面図である。
【００２９】
まず、ベースフィルム２上に第１のループアンテナ４及び第２のループアンテナ５を配設し、ダイバシティ機能を有するＩＣチップ３を搭載し、接続し、インレット１０を形成する。第１のループアンテナと第２のループアンテナ５は、ＩＣチップ３を介して垂直配置される（ステップＳ３０１）。
【００３０】
次に、白色フィルム／紙基材からなる表面保護フィルム２２を、接着剤からなる接着層２１を介して形成したインレット１０のＩＣチップ３側の上面全体にラミネートする（ステップＳ３０２）。
【００３１】
次に、図４（ａ）に示すように、ベースフィルム２のＩＣチップ３とは反対側の面に粘着材を剥離紙２３に塗布しながら接着層２１を介してインレット１０に仮貼着する（ステップＳ３０３）。
【００３２】
次に、図４（ｂ）に示すように、基材１９上にアンテナ６、摂動素子部７からなる平面アンテナ１１を形成する（ステップＳ３０４）。アンテナ６は、２つの略方形からなり、アンテナ６角部に、対角に一対の導電性金属板である摂動素子部７を設ける。平面アンテナ１１は、例えば、基材１９にラミネートした金属箔をエッチングしたパターンや導電性インキにより印刷したパターンからなっている。
【００３３】
次に、図４（ｃ）に示すように、物体８（包装材）裏面に、接着層２１を介して平面アンテナ１１を貼着し（ステップＳ３０５）、裏面に形成されたアンテナ６に近接する位置に相当する物体８の表面の所定位置に、インレット１０を貼着する（ステップＳ３０６）。
【００３４】
次に、本発明の非接触型ＩＣタグ１に使用される各種構成材料について説明する。
【００３５】
インレット１０の基材であるベースフィルム２及び基材１９としては、ＰＥＴ（ポリエチレンテレフタレート）、ＰＥＴ−Ｇ（テレフタル酸−シクロヘキサンジメタノール−エチレングリコール共重合体）、ＰＰ（ポリプロピレン）、ＰＥ（ポリエチレン）、ＰＣ（ポリカーボネート）、ＰＡ（ポリアミド）、ＰＰＳ（ポリフェニレンサルフイド）、ポリ塩化ビニル、塩化ビニル−酢酸ビニル共重合体、セルロースジアセテート、セルローストリアセテート、ポリスチレン系、ＡＢＳ、ポリアクリル酸エステル、ポリエチレン、ポリウレタン等の素材が使用される。
【００３６】
第１のループアンテナ４、第２のループアンテナ５、アンテナ６、摂動素子部７としては、導体パターンであり、アルミニウム、銀ペースト等の素材が使用される。
【００３７】
また、表面保護フィルム２２としては、白色フィルム、紙基材等が使用される。白色フィルムとしては、上記ベースフィルム２に挙げたものが使用でき、紙基材としては、上質紙、コート紙、クラフト紙、グラシン紙、合成紙、ラテックスやメラミン含浸紙等が使用できる。
【００３８】
以上説明したように、本発明の実施の形態によれば、非接触型ＩＣタグ１は、インレット１０と平面アンテナ１１から構成され、インレット１０は、ベースフィルム２の上に、略方形状のループ形状のループアンテナ４を配設し、第１のループアンテナ４ａに接続したダイバシティ機能を有するＩＣチップ３と、ＩＣチップ３に接続し、第１のループアンテナ４にほぼ垂直に配設した、略方形状のループ形状の第２のループアンテナ５とから形成される。平面アンテナ１１は、独立した導体から構成される閉ループ形状のアンテナであり、アンテナ６、摂動素子部７等を備える。アンテナ６は、２つの略方形から形成され、角部に対角に一対の摂動素子部７を設ける。物品８の包装裏面に平面アンテナ１１が形成され、物品８の包装表面に、インレット１０は、切り欠き部９に相当する平面アンテナ角部近傍に、第１のループアンテナ４と第２のループアンテナ５の外辺とアンテナ６の周縁とが平行になるように配設される。
【００３９】
これにより、受信信号が左旋円偏波と右旋円偏波の何れかでも同時に送受信でき、電波の方向に影響されずに良好な円偏波特性を得ることを可能とし、アンテナの偏波への整合が可能とされ、高感度の通信が実現できる。
物品に備えた非接触型ＩＣタグに対する一括読み取りにおける非接触型ＩＣタグのデータの読み落としを低減するとともに、読み取れなかった非接触型ＩＣタグの特定に要する作業の負担軽減及び時間短縮を図ることを可能とする。
また、２つの方形からなる平面アンテナを用いることより、小型アンテナで広い指向性が得られる。
更に、平面アンテナを物品裏面に装着することにより、表面印刷へ侵食がすくなく、物品のデザインを損なわない。
【００４０】
以上、添付図面を参照しながら、本発明に係る非接触型ＩＣタグ１の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００４１】
【図１】本実施の形態に係る非接触型ＩＣタグ１を示す図
【図２】非接触型ＩＣタグ１の分解斜視図
【図３】非接触型ＩＣタグ１の製造方法を示すフローチャート
【図４】非接触型ＩＣタグ１の製造過程の断面図であり、図４（ａ）は、表面剥離紙１４に仮貼付されたインレット１０の断面図、図４（ｂ）は、剥離紙１４に仮貼付された平面アンテナ１１の断面図、図４（ｃ）は、物体８に形成された非接触型ＩＣタグ１の断面図
【図５】従来の円偏波用ループアンテナを示す図
【符号の説明】
【００４２】
１………非接触型ＩＣタグ
２………ベースフィルム
３………ＩＣチップ
４………第１のループアンテナ
５………第２のループアンテナ
６………アンテナ
７………摂動素子部
８………物体
９………切り欠き部
１０………インレット
１１………平面アンテナ
１９………基材
２１………接着層
２２………表面保護フィルム
２３………剥離紙
【図１】
0004924379.tif 000002
【図２】
0004924379.tif 000003
【図３】
0004924379.tif 000004
【図４】
0004924379.tif 000005
【図５】
0004924379.tif 000006